(57)【要約】  【目的】  無線ＬＡＮ送信のアクセス・ポイント，ＡＰ（アクセス・ポイント）情報の有効期間を管理する。  【構成】  二次元バーコードには，無線ＬＡＮを用いた送信をするためのESS-ID，WEP-KEYなどのＡＰ情報のほかに有効期間が記録されている。ディジタル・スチル・カメラを用いて二次元バーコードを撮像し，解析することにより，ESS-ID，WEP-KEYなどのＡＰ情報のほかに有効期間が読み取られる。読み取られたESSID，WEPKEY，有効期間がディジタル・スチル・カメラに設定される。有効期間が経過すると，設定されているESSID，WEPKEYが消去される。比較的簡単にＡＰ情報を管理できる。  【選択図】  図３
2005286941.tif 000002
【特許請求の範囲】
【請求項１】
無線ＬＡＮを利用した送信に用いられる設定情報およびその設定情報の有効期間を含む無線ＬＡＮ情報を表す無線ＬＡＮ情報データを入力する入力手段，
上記入力手段から入力した無線ＬＡＮ情報データを記憶する無線ＬＡＮ情報メモリ，
上記無線ＬＡＮ情報メモリに記憶されている無線ＬＡＮ情報データによって表される設定情報および有効期間のうち，上記設定情報を用いた送信が可能な状態にないかどうかを，上記設定情報に対応した有効期間にもとづいて判定する判定手段，
上記判定手段により上記設定情報を用いた送信が可能な状態にないと判定されたことに応じて，対応する無線ＬＡＮ情報データを上記無線ＬＡＮ情報メモリから消去する消去手段，ならびに
上記判定手段により，上記設定情報を用いた送信が可能な状態にあると判定されたことに応じて，その可能な状態にあると判定された上記設定情報を用いて無線ＬＡＮ送信を行う無線ＬＡＮ送信回路，
を備えた無線ＬＡＮ送信装置。
【請求項２】
上記入力手段が，
上記無線ＬＡＮ情報が記録されているバーコードを撮像し，バーコード・データを出力する撮像手段，および
上記撮像手段から出力されたバーコード・データから上記無線ＬＡＮ情報データを検出する検出手段を備え，
上記無線ＬＡＮ情報メモリが上記検出手段によって検出された無線ＬＡＮ情報データを記憶するものである，
請求項１に記載の無線ＬＡＮ送信装置。
【請求項３】
上記有効期間が，上記設定情報を用いた無線ＬＡＮ送信を最初に行った時から一定期間の間，有効であることを示すものであり，
時刻を計測する時計，
上記無線ＬＡＮ送信を最初に行った時と上記時計により計測された時刻とから有効期間満了時を算出する算出手段，および
上記算出手段によって算出された有効期間満了日時を表すデータを上記設定設定情報に対応して上記無線ＬＡＮ情報メモリに記憶する記憶制御手段，
をさらに備えた請求項１に記載の無線ＬＡＮ送信装置。
【請求項４】
無線ＬＡＮを利用した送信に用いられる設定情報およびその設定情報の有効期間を含む無線ＬＡＮ情報を表す無線ＬＡＮ情報データを入力し，
入力した無線ＬＡＮ情報データを無線ＬＡＮ情報メモリに記憶し，
上記無線ＬＡＮ情報メモリに記憶されている無線ＬＡＮ情報データによって表される設定情報および有効期間のうち，上記設定情報を用いた送信が可能な状態にないかどうかを，上記設定情報に対応した有効期間にもとづいて判定し，
上記設定情報を用いた送信が可能な状態にないと判定されたことに応じて，対応する無線ＬＡＮ情報データを上記無線ＬＡＮ情報メモリから消去し，
上記設定情報を用いた送信が可能な状態にあると判定されたことに応じて，その可能な状態にあると判定された上記設定情報を用いて無線ＬＡＮ送信を行う，
無線ＬＡＮ送信装置の制御方法。
【発明の詳細な説明】
【技術分野】
【０００１】
この発明は，無線ＬＡＮ送信装置およびその制御方法に関する。
【背景技術】
【０００２】
ディジタル・スチル・カメラは，被写体を撮像し，被写体を表す画像データを出力することができる特徴があることから，単に被写体を撮像してメモリ・カードなどに記録するだけでなく，プリンタ・ドライバのコマンドを出力したものを撮像して，そのプリンタ・ドライバをディジタル・スチル・カメラに取り込むようなものもある（特許文献１）。ディジタル・スチル・カメラからプリンタに画像データを送信し，プリンタから画像をプリントすることができる。
【特許文献１】特開2003-13138号公報
【０００３】
パーソナル・コンピュータだけでなく，ディジタル・スチル・カメラなども無線ＬＡＮを用いて画像データを送信することができるようになってきている。無線ＬＡＮを用いた送信では，ESS-ID，WEP-KEYなどの設定情報を無線ＬＡＮ送信を利用する装置に設定する必要がある。このような設定情報は，無線ＬＡＮを利用するアクセス・ポイントごとに変わる。自宅のアクセス・ポイントは，設定情報を長期間の間利用することができるが，店舗の中などにある公衆アクセス・ポイントでは，長期間の間，その公衆アクセス・ポイント用の設定情報を利用しないことがあるので，必要に応じて設定情報を消去する必要がある。しかしながら，ユーザがその設定情報を消去するなど設定情報を管理することは煩わしい。
【発明の開示】
【０００４】
この発明は，無線ＬＡＮを利用した送信に用いられる設定情報を比較的簡単に管理することを目的とする。
【０００５】
この発明による無線ＬＡＮ装置は，無線ＬＡＮを利用した送信に用いられる設定情報（ＡＰ設定情報，送信先設定情報）およびその設定情報の有効期間を含む無線ＬＡＮ情報（ＡＰ情報，送信先情報）を表す無線ＬＡＮ情報データを入力する入力手段，上記入力手段から入力した無線ＬＡＮ情報データを記憶する無線ＬＡＮ情報メモリ，上記無線ＬＡＮ情報メモリに記憶されている無線ＬＡＮ情報データによって表される設定情報および有効期間のうち，上記設定情報を用いた送信が可能な状態にないかどうかを，上記設定情報に対応した有効期間にもとづいて判定する判定手段，上記判定手段により上記設定情報を用いた送信が可能な状態にないと判定されたことに応じて，対応する無線ＬＡＮ情報データを上記無線ＬＡＮ情報メモリから消去する消去手段，ならびに上記判定手段により，上記設定情報を用いた送信が可能な状態にあると判定されたことに応じて，その可能な状態にあると判定された上記設定情報を用いて無線ＬＡＮ送信を行う無線ＬＡＮ送信回路を備えていることを特徴とする。
【０００６】
この発明は，上記無線ＬＡＮ送信装置に適した制御方法も提供している。すなわち，この方法は，無線ＬＡＮを利用した送信に用いられる設定情報およびその設定情報の有効期間を含む無線ＬＡＮ情報を表す無線ＬＡＮ情報データを入力し，入力した無線ＬＡＮ情報データを無線ＬＡＮ情報メモリに記憶し，上記無線ＬＡＮ情報メモリに記憶されている無線ＬＡＮ情報データによって表される設定情報および有効期間のうち，上記設定情報を用いた送信が可能な状態にないかどうかを，上記設定情報に対応した有効期間にもとづいて判定し，上記設定情報を用いた送信が可能な状態にないと判定されたことに応じて，対応する無線ＬＡＮ情報データを上記無線ＬＡＮ情報メモリから消去し，上記設定情報を用いた送信が可能な状態にあると判定されたことに応じて，その可能な状態にあると判定された上記設定情報を用いて無線ＬＡＮ送信を行うものである。
【０００７】
この発明によると，無線ＬＡＮを利用した送信に用いられる設定情報およびその設定情報の有効期間を含む無線ＬＡＮ情報を表す無線ＬＡＮ情報データが入力される。入力した無線ＬＡＮ設定情報データは無線ＬＡＮ情報メモリに記憶される。
【０００８】
無線ＬＡＮ設定情報メモリに記憶されている無線ＬＡＮ情報データによって表される設定情報を用いた送信が可能な状態にあるかどうかが，対応する有効期間にもとづいて判定される。設定情報を用いた送信が可能な状態にないと判定されたことに応じて，対応する無線ＬＡＮ情報データが無線ＬＡＮ情報メモリから消去される。また，設定情報を用いた送信が可能な状態にあると判定されたことに応じて，その可能な状態にあると判定された設定情報を用いて無線ＬＡＮ送信が行われる。
【０００９】
設定情報を用いて送信が可能な状態にない無線ＬＡＮ情報データについては，無線ＬＡＮ情報メモリから消去される。ユーザによる設定情報の管理が比較的容易となる。
【００１０】
上記入力手段は，たとえば，上記無線ＬＡＮ情報が記録されているバーコードを撮像し，バーコード・データを出力する撮像手段，および上記撮像手段から出力されたバーコード・データから上記無線ＬＡＮ情報データを検出する検出手段を備えている。この場合，上記無線ＬＡＮ情報メモリは，上記検出手段によって検出された無線ＬＡＮ情報データを記憶するものとなろう。
【００１１】
また，上記有効期間は，たとえば，上記設定情報を用いた無線ＬＡＮ送信を最初に行った時から一定期間の間，有効であることを示すものである。この場合には，時刻を計測する時計，上記無線ＬＡＮ送信を最初に行った時と上記時計により計測された時刻とから有効期間満了時を算出する算出手段，および上記算出手段によって算出された有効期間満了日時を表すデータを上記設定設定情報に対応して上記無線ＬＡＮ情報メモリに記憶する記憶制御手段をさらに備えることとなろう。
【実施例】
【００１２】
図１(A) は，ディジタル・スチル・カメラ１の背面側を示している。図１(B)  はモード選択ダイアル２の拡大平面図である。
【００１３】
図１(A)を参照して，ディジタル・スチル・カメラ１の上面において，背面から見て右奥の隅にはシャッタ・レリーズ・ボタン３が設けられている。このシャッタ・レリーズ・ボタン３の手前にはモード選択ダイアル２が回転自在に設けられている。また，背面から見て上面の左隅には無線アンテナ４が設けられている。
【００１４】
ディジタル・スチル・カメラ１の背面には，その中央部分に表示画面７が形成されている。表示画面７には，撮像によって得られた画像，ディジタル・スチル・カメラ１に装着されたメモリ・カードから読出された画像データによって表される画像，ディジタル・スチル・カメラ１の各種設定のための画像等が表示される。
【００１５】
表示画面７の左上には，マクロ・モード設定ボタン５が設けられている。表示画面７の上側に電源スイッチ12が設けられている。表示画面７の右側には，表示画面７に表示させるべき駒の選択，各種設定等に利用される上下左右キー８，メニュー・ボタン９，実行ボタン10および取消（キャンセル）ボタン11が設けられている。さらに，ディジタル・スチル・カメラ１の正面には撮像レンズ（図示略）が設けられ，側面（図１(A)においては見えない側面）にはＵＳＢ（Universal Serial Bus）コネクタが形成されている。
【００１６】
図１(B)を参照して，モード選択ダイアル２の左側には，指標２Ａが形成されている。モード選択ダイアル２上には，Setupの文字２ａ，WLANの文字２ｂ，USBの文字２ｃ，Movの文字２ｄ，Camの文字２ｅ，およびPlayの文字２ｆが周方向に所定間隔ずつ空けられて形成されている。
【００１７】
セットアップ・モードが設定される場合には，Setupの文字２ａが指標２Ａに位置決めされる。無線ＬＡＮモードが設定される場合には，WLANの文字２ｂが指標２Ａに位置決めされる。USBモードが設定される場合には，USBの文字２ｃが指標２Ａに位置決めされる。ムービ・モードが設定される場合には，Movの文字２ｄが指標２Ａに位置決めされる。カメラ・モードが設定される場合には，Camの文字２ｅが指標２Ａに位置決めされる。再生モードが設定される場合には，Playの文字２ｆが指標２Ａに位置決めされる。
【００１８】
初期設定等を行う場合にセットアップ・モードが，無線ＬＡＮを用いた通信を行う場合に無線ＬＡＮモードが，パーソナル・コンピュータとの間でＵＳＢケーブルを用いたデータの送受信を行う場合にＵＳＢモードが，ムービ撮影を行う場合にムービ・モードが，静止画撮影を行う場合にカメラ・モードが，動画または静止画を再生する場合に再生モードが，それぞれユーザによって選択される。
【００１９】
図２は，ディジタル・スチル・カメラ１の電気的構成を示すブロック図である。
【００２０】
ディジタル・スチル・カメラ１の全体の動作はＣＰＵ20によって統括される。ディジタル・スチル・カメラ１に含まれているＣＰＵ20，他の種々の回路および装置にはバッテリ43から電源が供給される。
【００２１】
ディジタル・スチル・カメラ１には，システム・メモリ34および不揮発性メモリ35が含まれている。システム・メモリ34に，ディジタル・スチル・カメラ１の動作制御のためのプログラムおよびデータ等が記憶されている。不揮発性メモリ35には，後述するように無線ＬＡＮを用いた通信のための設定情報（ESSID，WEPKEY），画像データの送信先情報（送信先のアドレス，パスワードなど）などが記憶される。
【００２２】
タイマ36はセルフ・タイマ撮影のときの経過時間の計測に用いられる。カレンダおよび時計37によって日時が計測される。
【００２３】
上述したモード選択ダイアル２，シャッタ・レリーズ・ボタン３，上下左右キー８，メニュー・ボタン９，実行ボタン10，取消ボタン11等（図２において符号39で示す）からの出力信号は，Ｉ／Ｏ（Input/Output）ユニット38を介してＣＰＵ20に入力する。ディジタル・スチル・カメラ１に発光ダイオードが設けられている場合には，Ｉ／Ｏユニット38を介して発光素子に発光信号が出力される。
【００２４】
ストロボ発光装置５は，ストロボ制御装置24によってその発光が制御される。
【００２５】
ディジタル・スチル・カメラ１には，撮像回路21が含まれている。この撮像回路21には，被写体を撮像し，被写体像を表すアナログ映像信号を出力するＣＣＤおよびこのＣＣＤの受光面上に被写体像を結像するためのズーム・レンズが含まれている。モード選択ダイアル２によってカメラ・モードが選択されると，撮像回路21に含まれるＣＣＤによって被写体が撮像される。被写体像を表す映像信号がアナログ信号処理回路22に与えられる。アナログ信号処理回路22において，相関二重サンプリング，白バランス調整，ガンマ補正などの所定の信号処理が行われる。アナログ信号処理回路22から出力されたアナログ映像信号は，アナログ／ディジタル信号処理回路23に入力する。アナログ／ディジタル変換回路23においてアナログ映像信号がディジタル画像データに変換される。
【００２６】
ディジタル画像データは，フレーム・メモリ29を介してＬＣＤ（液晶表示装置）制御回路31に入力し，ＬＣＤ制御回路31においてＬＣＤ表示に適したデータに変換等される。ＬＣＤ制御回路31からの出力データが液晶表示装置32に与えられる。表示画面７に画像が表示される。
【００２７】
ＬＣＤ制御回路31にはＯＳＤ（On Screen Device）30からオン・スクリーン信号も入力する。撮像された画像上に，オン・スクリーン信号によって表される日時を表す文字，キャラクタを表す画像等を重畳させて，液晶表示装置32（表示画面７）上に表示することができる。
【００２８】
モード選択ダイアル２によってカメラ・モードが選択されているときにシャッタ・レリーズ・ボタン３が押されると，上述のようにして得られた画像データは，フレーム・メモリ29に一時的に記憶される。画像データはフレーム・メモリ29から読出され，圧縮／伸張回路25において圧縮される。圧縮された画像データがカード・インターフェイス40を介してメモリ・カード・スロット41に装着されているメモリ・カード42に記録される。
【００２９】
再生モードが選択されると，メモリ・カード42に記録されている画像データが読出され，カード・インターフェイス40を介して圧縮／伸張回路25に与えられる。圧縮／伸張回路25において伸張処理が行われ，伸張された画像データがフレーム・メモリ29を介してＬＣＤ制御回路31に入力する。メモリ・カード42に記録されている画像データによって表される画像が，液晶表示装置32（表示画面７）に表示される。
【００３０】
上述のように，ディジタル・スチル・カメラ１は，無線ＬＡＮを利用して無線送信するためのアンテナ４を備えている。アンテナ４に無線インターフェイス26が接続されている。アンテナ４を介して，ディジタル・スチル・カメラ１と画像データ受信装置（図示略）との間において，不揮発性メモリ35に記憶されている無線ＬＡＮ設定情報を用いて無線ＬＡＮを利用した画像データの送受信が行われる。
【００３１】
また，ディジタル・スチル・カメラ１には，パーソナル・コンピュータなどとUSBケーブルを用いて通信するためのUSBコネクタ28およびUSBファンクション・ドライバ27が設けられている。
【００３２】
この実施例によるディジタル・スチル・カメラにおいては，ＡＰ（アクセス・ポイント）設定情報が記録されている二次元バーコード（一次元その他のバーコードでもよい）を撮像することにより，二次元バーコードに記録されているＡＰ設定情報が読み取られる。読み取られたＡＰ設定情報が不揮発性メモリ35に記憶されることにより，ディジタル・スチル・カメラ１に設定される。同様に，送信先設定情報が記録されている二次元バーコードが撮像されることにより，その送信先設定情報が二次元バーコードから読み取られる。読み取られた送信先設定情報は不揮発性メモリ35に記憶させられる。とくに，この実施例においては，二次元バーコードには，ＡＰ設定情報および送信先設定情報（設定情報）だけでなく，それらの設定情報の有効期間を示す情報も記録されている。有効期間を示す情報もディジタル・スチル・カメラ１に設定され，その有効期間が経過すると，設定情報等がディジタル・スチル・カメラから消去される。
【００３３】
図３および図４は，ＡＰ情報用二次元バーコードの一例とその二次元バーコードに記録されているＡＰ情報とを示している。
【００３４】
ＡＰ（アクセス・ポイント）情報用二次元バーコードCb１およびCb２には，ＡＰ情報として，ＡＰ情報であることを知らせるための「ＡＰ」，タイトル（TITLE），ESSID，WEP-KEY，ＡＰ情報の有効期間を示す「VALID」が記録されている。
【００３５】
図３に示すＡＰ情報用二次元バーコードCb１においては，VALIDは，「24Ｈ」が記録されている。有効期間がＡＰ情報を最初に利用した時から24時間となる。また，図４に示すＡＰ情報用二次元バーコードCb２においてVALIDは，「ONCE」が記録されている。ＡＰ情報の利用が一回のみ許可される。
【００３６】
図５は，送信先情報用二次元バーコードの一例とその二次元バーコードに記録されている送信先情報とを示している。
【００３７】
送信先情報用二次元バーコードCb３には，送信先情報であることを知らせるための「ＴＯ」，タイトル（ＴＩＴＬＥ），アドレス（ＡＤＲ），ユーザ名（ＵＳＲ），パスワード（ＰＡＳＳ），送信先情報の有効期間を示す「VALID」が記録されている。
【００３８】
送信先情報用二次元バーコードにおいてVALIDは，「2003/12/31 23:59:59」が記録されている。このVALIDは，2003年12月31日23時59分59秒まで送信先情報をユーザが利用できることを示している。
【００３９】
図６は，ＡＰ情報用二次元バーコードが記録されたカードの一例である。
【００４０】
カード50は，公衆無線ＬＡＮが初回の使用時から24時間の間利用することができるものである。カード50の下部には，WEPキー記録領域51およびESSID記録領域52が設けられている。また，これらの記録領域51および52の右側にはＡＰ情報用二次元バーコードCb１が記録されている。
【００４１】
このカード50は，パーソナル・コンピュータなど入力機器が充実している公衆無線ＬＡＮ装置とディジタル・スチル・カメラなどのように撮像する機能は有するが入力機器が充実していない公衆無線ＬＡＮ装置とに利用できるものである。
【００４２】
パーソナル・コンピュータなどを用いて公衆無線ＬＡＮが利用される場合には，ユーザは，WEPKEY記録領域51に記録されているWEPKEYおよびESSID記録領域52に記録されているESSIDをパーソナル・コンピュータに設けられているキーボードを用いて入力する。
【００４３】
ディジタル・スチル・カメラを用いて公衆無線ＬＡＮが利用される場合には，カード50を所有するユーザは，ＡＰ情報用二次元バーコードCb１を撮像する。すると，ＡＰ情報用二次元バーコードCb１に記録されているＡＰ情報（図３参照）がディジタル・スチル・カメラによって読み取られる。読み取られたＡＰ情報がディジタル・スチル・カメラに設定される。
【００４４】
図７は，ディジタル・スチル・カメラに設定されているＡＰ情報管理テーブルの一例である。上述したようにＡＰ情報管理テーブルは，不揮発性メモリ35に記憶されている。
【００４５】
ＡＰ情報管理テーブルには，識別コード，TITLE，ＡＰ設定情報および有効期間の各項目が含まれている。識別コードは，ＡＰ情報を識別するためのものである。ＡＰ設定情報には，上述したようにESSIDとWEPKEYとが含まれている。このように，読み取られたＡＰ情報がＡＰ情報管理テーブルに記憶されていく。
【００４６】
図８は，ディジタル・スチル・カメラに設定されている送信先情報管理テーブルの一例である。上述したように，送信先情報管理テーブルも，不揮発性メモリ35に記憶されている。
【００４７】
送信先情報管理テーブルには，識別コード，TITLE，送信先設定情報および有効期間の各項目が含まれている。識別コードは，送信先情報を識別するためのものである。送信先設定情報には，上述したようにアドレス（ＡＤＲ），ユーザ名（ＵＳＲ）およびパスワード（ＰＡＳＳ）が含まれている。このように，読み取られた送信先情報が送信先情報管理テーブルに記憶されていく。
【００４８】
図９は，現在の設定状況管理テーブルの一例である。この現在の設定状況管理テーブルも不揮発性メモリ35に記憶される。
【００４９】
現在の設定状況管理テーブルは，ディジタル・スチル・カメラに現在設定されているアクセス・ポイント（設定を変更しない限りアクセスするアクセス・ポイント）についてのＡＰ設定情報およびディジタル・スチル・カメラに現在設定されている送信先情報（設定を変更しない限りデータが送信される送信先）についての送信先設定情報が格納される。
【００５０】
図10から図12は，モード選択ダイアル２によって無線ＬＡＮモードが設定された場合の処理手順を示すフローチャートである。
【００５１】
無線ＬＡＮモードが設定されると，カレンダおよび時計37から現在の日時が読み取られる（ステップ61）。
【００５２】
不揮発性メモリ35に記憶されているＡＰ情報管理テーブルの有効期間がサーチされ，読み取られた日時にもとづいて有効期間が経過しているＡＰ情報がＡＰ情報管理テーブルから消去される（ステップ62）。また，現在の設定状況管理テーブルが参照され，消去されたＡＰ情報が現在のＡＰ設定情報として設定されている場合にはクリアされ未設定状態とされる（ステップ63）。
【００５３】
さらに，不揮発性メモリ35に記憶されている送信先情報管理テーブルの有効期間がサーチされ，読み取られた日時にもとづいて有効期間が経過している送信先情報が送信先情報管理テーブルから消去される（ステップ64）。ＡＰ情報と同様に，現在の設定状況管理テーブルが参照され，消去された送信先情報が現在の送信先情報として設定されている場合にはクリアされ未設定状態とされる（ステップ65）。
【００５４】
その後，メモリ・カード42に記録されている画像データによって表される画像のうち，最後に撮影された画像が表示すべき画像として設定され（ステップ66），その最後に撮影された画像がディジタル・スチル・カメラの表示画面７に表示される（ステップ67）。
【００５５】
つぎに，最後に撮影された画像とともに，ディジタル・スチル・カメラ１に設定されている（現在の設定状況管理テーブルに記憶されている）ＡＰ情報および送信先情報がディジタル・スチル・カメラ１の表示画面７に表示される（ステップ67）。ＡＰ情報および送信先情報が設定されていなければ，ＡＰ情報および送信情報が表示されるべき部分は空白とされる。
【００５６】
図13は，アクセス・ポイント等が表示される画像の一例である。
【００５７】
表示画面７の全体に渡って，設定された画像が表示されている。画像の右端部には，表示画面７に表示させる画像のコマ送りをユーザに報知する領域Ａ11，実行ボタン10が押されることにより，表示画面７に表示されている画像を表す画像データが無線送信されることを報知する領域Ａ12およびメニュー・ボタン９が押されることにより，ＡＰ情報および送信先情報の少なくとも一方の設定を変更（新規に設定）できることをユーザに報知する領域Ａ13が設定されている。表示画面７に表示されている画像の下の部分の領域Ａ14には，アクセス・ポイント（ＡＰ：公衆WLANスポット）および送信先（ＴＯ：○○○Print Service）が表示されている。
【００５８】
図11を参照して，上下左右ボタン８のうち，左矢印または右矢印が押されると（ステップ69でＹＥＳ），表示画面７に表示される画像が変更させられる（ステップ70）。左矢印が押されると表示されている画像の一駒前の画像が表示され，右矢印が押されると表示されている画像の一駒後の画像が表示される。
【００５９】
実行ボタン10が押されると（ステップ71でＹＥＳ），表示画面７に表示されている画像を表す画像データの送信処理に移行する。この送信処理については，後述する。
【００６０】
実行ボタン10が押されずに（ステップ71でＮＯ），メニュー・ボタン９が押されると（ステップ72でＹＥＳ），図14から図17に示すＡＰ情報および送信先情報設定処理に移行する（ステップ73）。このＡＰ情報および送信先情報設定処理についても後述する。メニュー・ボタン９が押されずに（ステップ72でＮＯ），モード選択ダイアル２によってモードが変更されなければ（ステップ74でＮＯ），ステップ67以降の処理が繰り返される。モード変更があると（ステップ74でＹＥＳ），その変更したモードとなる。
【００６１】
実行ボタン10が押されると（ステップ71でＹＥＳ），送信先が設定されているかどうかが確認される（ステップ75でＹＥＳ）。送信先が設定されていなければ（ステップ75でＮＯ），送信先が未設定の旨が表示画面７に表示される（ステップ76）。
【００６２】
送信先が設定されていると（ステップ75でＹＥＳ），ＡＰ情報を用いて，設定されているアクセス・ポイントに接続される（ステップ77）。アクセス・ポイントへの接続が成功しないと（ステップ78でＮＯ），アクセス・ポイントへの接続が失敗した旨が表示画面７に表示される（ステップ79）。
【００６３】
アクセス・ポイントへの接続が成功すると（ステップ78でＹＥＳ），送信先情報を用いて，設定されている送信先に接続される（ステップ80）。送信先への接続が成功しないと（ステップ81でＮＯ），送信先への接続が失敗した旨が表示画面７に表示される（ステップ85）。
【００６４】
送信先への接続が成功すると（ステップ81でＹＥＳ），表示画面７に表示されている画像を表す画像データがフレーム・メモリ29から読み取られ，無線アンテナ４から送信先に送信される（ステップ83）。画像データの送信が成功しないと（ステップ84でＮＯ），送信失敗の旨が表示画面７に表示される（ステップ85）。画像データの送信が成功すると（ステップ84でＹＥＳ），送信成功の旨が表示画面７に表示される（ステップ86）。
【００６５】
図14から図17は，ＡＰ情報および送信先情報設定処理（図11ステップ73の処理）を示すフローチャートである。
【００６６】
上述したように，無線ＬＡＮモードにおいてメニュー・ボタン９が押されるとＡＰ情報および送信先情報設定処理に移行する。すると，ディジタル・スチル・カメラ1の表示画面７には，図18に示すようにＡＰ情報の設定を選択するのか（AP選択），送信先情報を選択するのか（送信先選択）を選択する画像が表示される（ステップ91）。
【００６７】
選択画像には，送信すべき画像の駒番号（001-0001）が上部に表示されている。選択画像のほぼ中央部分には，「ＡＰ選択」の文字および「送信先選択」の文字が表示されていちる。これらの文字のいずれかがカーソルC21によって囲まれる（フォーカスされる）。また，選択画像には，カーソルＣ21の移動方法をユーザに報知する領域Ａ21およびAP情報または送信先情報の選択方法をユーザに報知する領域Ａ22が含まれている。
【００６８】
領域Ａ21には，上下左右ボタン８のうち，上矢印が押されることによりカーソルＣ21が上方向に移動し（ＡＰ選択の文字をカーソルＣ21が囲む），下矢印が押されることによりカーソルＣ21が下方向に移動する（送信先選択の文字を囲む）旨が表示されている。領域Ａ22には，メニュー・ボタン９が押されることにより，カーソルＣ21で囲まれている処理が選択される旨が表示されている。
【００６９】
カーソルＣ21がＡＰ選択の文字を囲んでいる場合にメニュー・ボタン９が押されると，アクセス・ポイントの設定処理に移行する。カーソルＣ21が送信先選択の文字を囲んでいる場合にメニュー・ボタン９が押されると，送信先の設定処理に移行する。
【００７０】
図14に戻って，ＡＰ選択か送信先選択かが判断される（ステップ92，93）。まず，送信先選択が行われるものとする（ステップ92でＮＯ，93でＹＥＳ）。
【００７１】
送信先選択が実行されると，ディジタル・スチル・カメラ１の表示画面７には，図19に示す送信先選択画像が表示される（ステップ94）。
【００７２】
図19を参照して，送信先選択画像には，そのほぼ中央にすでにディジタル・スチル・カメラ１の不揮発性メモリ35の送信先情報管理テーブルに記憶されている送信先（タイトル）（○○○Print  Service，インターネット・アルバム・サービス，○×写真店）が表示されている。いずれかの送信先がカーソルＣ31によって囲まれている。現在の設定状況管理テーブルに記憶されている送信先がカーソルＣ31によって最初に囲まれる。
【００７３】
送信先選択画像の右側部分には，カーソルＣ31の移動方法をユーザに報知する領域Ａ31，選択方法をユーザに報知する領域Ａ32，登録削除方法をユーザに報知する領域Ａ33および新規登録方法をユーザに報知する領域Ａ34が表示されている。
【００７４】
領域Ａ31には上下左右ボタン８のうち，上矢印が押されることによりカーソルＣ31が上に移動し，下矢印が押されることによりカーソルＣ31が下に移動する旨が表示されている。領域Ａ32には実行ボタン10が押されることにより，カーソルＣ31によって囲まれている送信先が選択される旨が表示されている。領域Ａ33にはキャンセル・ボタン11が押されることにより，カーソルＣ31で囲まれている送信先の登録が削除される旨が表示されている。領域Ａ34にはメニュー・ボタン９が押されることにより送信先の新規登録処理が開始される旨が表示されている。
【００７５】
図14に戻って，送信先選択画像が表示画面７に表示されている場合にメニュー・ボタン９が押されると（ステップ95でＹＥＳ），表示画面７には，送信先情報用二次元バーコード（図５参照）に，ディジタル・スチル・カメラ１を向けて送信先情報用二次元バーコードの撮影指示の画像が表示される（ステップ104）。ユーザによって送信先情報用二次元バーコードが撮影され，そのバーコードに記録されている送信先情報の読み取り処理が行われる（ステップ105）。この読み取り処理について詳しくは後述する。
【００７６】
バーコード読み取り処理が成功しないと（ステップ106でＮＯ），送信先の読み取りが失敗した旨が表示画面７に表示される（ステップ110）。必要に応じて再度送信情報用二次元バーコードの読み取り処理が行われる。バーコード読み取り処理が成功すると（ステップ106でＹＥＳ），読み取られた送信先情報が解析される（ステップ107）。読み取られた送信先情報が規格どおりのもので正しければ（ステップ108でＹＥＳ），その後読み取られた送信先設定情報が現在の送信先の設定として現在の設定管理テーブルに記憶される（図15ステップ111）。読み取られた送信先情報から有効期間が抽出される（ステップ112）。
【００７７】
抽出された有効期間が１回限り（VALID=ONCE）であれば（ステップ113でＹＥＳ），アクセス・ポイント／送信先設定処理が成功したとして，その処理が終了する。有効期間が１回限りであれば，設定された送信先への再度のデータ送信が禁止されるので，送信先管理テーブルへの送信先情報の記憶は行われない。
【００７８】
抽出された有効期間が１回限りでなければ（ステップ113でＮＯ），読み取られた送信先設定情報（アドレス，ユーザ名，パスワード）がすでに送信先情報管理テーブルに記憶されているかどうかが確認される（ステップ114）。すでに送信先情報管理テーブルに記憶されていれば（ステップ114でＮＯ），アクセス・ポイント／送信先設定処理が成功したとして，その処理が終了する。送信先情報等の送信先情報管理テーブルへの重複登録処理が回避される。
【００７９】
読み取られた送信先設定情報がすでに送信先情報管理テーブルに記憶されていなければ（ステップ114でＮＯ），初回使用時から所定時間の間有効なものかが確認される（ステップ115）。初回使用時から所定時間の間有効なものであれば（ステップ115でＹＥＳ），現在の時刻がカレンダおよび時計37から読み取られる（ステップ116）。読み取られた現在の時刻と有効な所定時間とから有効期間が算出される（ステップ117）。算出された有効期間および送信先情報がタイトルとともに送信先情報管理テーブルに記憶される（ステップ119）。
【００８０】
初回使用時から所定時間の間有効なものでなければ（ステップ118でＮＯ），有効期限が無期限かどうかが確認される（ステップ120）。無期限であれば（ステップ121でＹＥＳ），有効期間が無期限としてタイトルおよび送信先情報とともに送信先情報管理テーブルに記憶される（ステップ121）。
【００８１】
読み取られた送信先情報に有効期限の情報が存在しない場合には，有効期限は無期限ではないと判断され（ステップ120でＮＯ），読み取られた送信先情報をディジタル・スチル・カメラに記憶させるかどうかの確認をするための文章が表示画面７に表示される（ステップ122）。この確認表示が行われ，ユーザによって実行ボタン10が押されると（ステップ123），有効期間が無期限としてタイトルおよび送信先情報とともに送信先情報管理テーブルに記憶される（ステップ121）。ユーザによってキャンセル・ボタン11が押されると（ステップ121），送信先情報テーブルへの送信先情報の記憶処理が停止される。
【００８２】
図14に戻って，メニュー・ボタン９が押されないと（ステップ95でＮＯ），どのボタンが押されたかによって処理が変わる。キャンセル・ボタン11が押されると（ステップ96でＹＥＳ），カーソルＣ31によって囲まれている（フォーカスされている）送信先が送信先情報管理テーブルから削除される（ステップ97）。また，先頭（一番上）の送信先にカーソルＣ31が移動する（ステップ98）。上下左右ボタン８の上矢印または下矢印が押されると（ステップ99でＹＥＳ），その押し下げに応じてカーソルＣ31が上または下に移動する（ステップ100）。実行ボタン10が押されると（ステップ101でＹＥＳ），カーソルＣ31によって囲まれている送信先が画像データの送信先として設定される（ステップ102）。そして，設定された送信先が不揮発性メモリ35に格納される（ステップ103）。
【００８３】
ＡＰ選択が実行される場合には（ステップ92でＹＥＳ），ディジタル・スチル・カメラ１の表示画面７には，図20に示すＡＰ選択画像が表示される（ステップ131）。
【００８４】
ＡＰ選択画像には，送信先選択画像と同様に，ほぼ中央に，ディジタル・スチル・カメラに記憶されているアクセス・ポイント（自宅，公衆WLANスポット，オフィス）が表示されている。記憶されているアクセス・ポイントのうち現在の設定状況管理テーブルに設定されているアクセス・ポイント（タイトル）がカーソルＣ41によって囲まれている。最初は，設定されているアクセス・ポイントをカーソルＣ41が囲むようにしてもよい。
【００８５】
送信先選択画像の右側部分には，カーソルＣ41の移動方法をユーザに報知する領域Ａ41，選択方法をユーザに報知する領域Ａ42，登録削除方法をユーザに報知する領域Ａ43および新規登録方法をユーザに報知する領域Ａ44が表示されている。
【００８６】
領域Ａ41には上下左右ボタン８のうち，上矢印が押されることによりカーソルＣ41が上に移動し，下矢印が押されることによりカーソルＣ41が下に移動する旨が表示されている。領域Ａ42には実行ボタン10が押されることにより，カーソルＣ41によって囲まれている送信先が選択される旨が表示されている。領域Ａ43にはキャンセル・ボタン11が押されることにより，カーソルＣ41で囲まれている送信先の登録が削除される旨が表示されている。領域Ａ44にはメニュー・ボタン９が押されることにより送信先の新規登録処理が開始される旨が表示されている。
【００８７】
図16を参照して，メニュー・ボタン９が押されると（ステップ132でＹＥＳ），ＡＰ情報の読み取り処理に移行する。
【００８８】
送信先情報の読み取り処理と同様に，ディジタル・スチル・カメラ１の表示画面７には，ディジタル・スチル・カメラ１をＡＰ情報用二次元バーコード（図３，図４参照）に向け，そのＡＰ情報用二次元バーコードの撮影指示が表示される（ステップ141）。ＡＰ情報用二次元バーコードが読み取られる（ステップ142）。読み取り処理が成功すると（ステップ143でＹＥＳ），読み取られた情報が解析される（ステップ144）。読み取られた情報がＡＰ情報の規格にしたがったものであり，正しければ（ステップ145でＹＥＳ），読み取られたＡＰ設定情報が現在ＡＰ設定情報として現在の設定管理テーブルに記憶される（ステップ151）。
【００８９】
上述した送信先情報と同様に，抽出された有効期間が１回限り（VALID=ONCE）であれば（ステップ153でＹＥＳ），アクセス・ポイント／送信先設定処理が成功したとして，その処理が終了する。有効期間が１回限りであれば，設定されたアクセス・ポイントへの再度のアクセスが禁止されるので，ＡＰ情報管理テーブルへの送信先情報の記憶が禁止される。
【００９０】
抽出された有効期間が１回限りでなければ（ステップ153でＮＯ），読み取られたＡＰ情報（ESSID，WEPKEY）がすでにＡＰ情報管理テーブルに記憶されているかどうかが確認される（ステップ154）。すでにＡＰ情報管理テーブルに記憶されていれば（ステップ154でＮＯ），アクセス・ポイント／送信先設定処理が成功したとして，その処理が終了する。ＡＰ設定情報等のＡＰ情報管理テーブルへの重複登録処理は回避される。
【００９１】
読み取られたＡＰ情報がすでにＡＰ情報管理テーブルに記憶されていなければ（ステップ154でＮＯ），初回使用時から所定時間の間有効なものかが確認される（ステップ155）。初回使用時から所定時間の間有効なものであれば（ステップ155でＹＥＳ），現在の時刻がカレンダおよび時計37から読み取られる（ステップ156）。読み取られた現在の時刻と有効な所定時間とから有効期間が算出される（ステップ157）。算出された有効期間およびＡＰ設定情報がタイトルとともにＡＰ情報管理テーブルに記憶される（ステップ159）。
【００９２】
初回使用時から所定時間の間有効なものでなければ（ステップ158でＮＯ），有効期限が無期限かどうかが確認される（ステップ160）。無期限であれば（ステップ161でＹＥＳ），有効期間が無期限としてタイトルおよびＡＰ情報とともにＡＰ情報管理テーブルに記憶される（ステップ161）。
【００９３】
読み取られたＡＰ情報に有効期限の情報が存在しない場合には，有効期限は無期限ではないと判断され（ステップ160でＮＯ），読み取られたＡＰ情報をディジタル・スチル・カメラに記憶させるかどうかの確認をするための文章が表示画面７に表示される（ステップ162）。この確認表示が行われ，ユーザによって実行ボタン10が押されると（ステップ163），有効期間が無期限としてタイトルおよびＡＰ情報とともにＡＰ情報管理テーブルに記憶される（ステップ161）。ユーザによってキャンセル・ボタン11が押されると（ステップ161），ＡＰ情報テーブルへのＡＰ情報の記憶処理が停止される。
【００９４】
メニュー・ボタン９が押されないと（ステップ132でＮＯ），押されたボタンに応じた処理が行われる。
【００９５】
キャンセル・ボタン11が押されると（ステップ133でＹＥＳ），カーソルＣ41によって囲まれているアクセス・ポイントが削除され（ステップ134），先頭のアクセス・ポイントがカーソルＣ41によって囲まれる（ステップ135）。上下左右ボタン８の上矢印または下矢印が押されると（ステップ136でＹＥＳ），カーソルＣ41が上または下に移動する（ステップ137）。実行ボタン10が押されると（ステップ138でＹＥＳ），カーソルＣ41によって囲まれているアクセス・ポイントがアクセス・ポイントとして設定される（ステップ139）。設定されたアクセス・ポイントが不揮発性メモリ35に格納される（ステップ140）。
【００９６】
上述した実施例においては，二次元バーコードにＡＰ情報，送信先情報などが記録されており，二次元バーコードを撮像することにより，その二次元バーコードに記録されているＡＰ情報，送信先情報などを読み取ってディジタル・スチル・カメラに設定されているが，ＡＰ情報，送信先情報などは必ずしも二次元バーコードに記録されていなくともよい。たとえば，暗号化されたＡＰ情報，送信先情報がユーザに報知され，ユーザがそれらのＡＰ情報，送信先情報を入力するようにしてもよい。
【図面の簡単な説明】
【００９７】
【図１】（Ａ）は，ディジタル・スチル・カメラの斜視図，（Ｂ）は，モード選択ダイアルを示している。
【図２】ディジタル・スチル・カメラの電気的構成を示すブロック図である。
【図３】ＡＰ情報用二次元バーコードとＡＰ情報とを示している。
【図４】ＡＰ情報用二次元バーコードとＡＰ情報とを示している。
【図５】送信先情報用二次元バーコードと送信先情報とを示している。
【図６】ＡＰ情報用二次元バーコードを記録されているカードの一例である。
【図７】ＡＰ情報管理テーブルの一例である。
【図８】送信先情報管理テーブルの一例である。
【図９】現在の設定状況管理テーブルの一例である。
【図１０】無線ＬＡＮモードの処理手順を示すフローチャートである。
【図１１】無線ＬＡＮモードの処理手順を示すフローチャートである。
【図１２】無線ＬＡＮモードの処理手順を示すフローチャートである。
【図１３】表示画面に表示される画像の一例である。
【図１４】アクセス・ポイント送信先設定処理手順を示すフローチャートである。
【図１５】アクセス・ポイント送信先設定処理手順を示すフローチャートである。
【図１６】アクセス・ポイント送信先設定処理手順を示すフローチャートである。
【図１７】アクセス・ポイント送信先設定処理手順を示すフローチャートである。
【図１８】表示画面に表示される画像の一例である。
【図１９】表示画面に表示される画像の一例である。
【図２０】表示画面に表示される画像の一例である。
【符号の説明】
【００９８】
１  ディジタル・スチル・カメラ
２  モード選択ダイアル
３  シャッタ・レリーズ・ボタン
４  アンテナ
５  ストロボ
７  表示画面
８  上下左右ボタン
９  メニュー・ボタン
10  実行ボタン
11  取り消しボタン
20  ＣＰＵ
26  無線インターフェイス（無線LAN送信回路）
35  不揮発性メモリ（無線LAN情報メモリ）
37  カレンダおよび時計
Cb１，Cb２  ＡＰ情報用二次元バーコード
Cb３  送信先情報用二次元バーコード
【図１】
2005286941.tif 000003
【図２】
2005286941.tif 000004
【図３】
2005286941.tif 000005
【図４】
2005286941.tif 000006
【図５】
2005286941.tif 000007
【図６】
2005286941.tif 000008
【図７】
2005286941.tif 000009
【図８】
2005286941.tif 000010
【図９】
2005286941.tif 000011
【図１０】
2005286941.tif 000012
【図１１】
2005286941.tif 000013
【図１２】
2005286941.tif 000014
【図１３】
2005286941.tif 000015
【図１４】
2005286941.tif 000016
【図１５】
2005286941.tif 000017
【図１６】
2005286941.tif 000018
【図１７】
2005286941.tif 000019
【図１８】
2005286941.tif 000020
【図１９】
2005286941.tif 000021
【図２０】
2005286941.tif 000022